(57)【要約】【課題】  振動・衝撃・落下等に基因するカードの排出を防止でき、しかも、カードの挿入排出操作が簡便で、また、機構が簡素で、更に、部品点数が少ないカード用コネクタを提供する。【解決手段】  イジェクトスライダ４は、カードにより押されてコネクタ１に挿入され、かつ、カードをコネクタから排出する。一対のロック部材５は、それぞれロック部５Ａと弾性変形可能なロック押し下げ部５Ｂを有し、各ロック部は、カード挿入排出口を開放する位置と閉鎖する位置との間で移動できる。カードがコネクタと接続する際、カードがイジェクトスライダを挿入するとき、イジェクトスライダの各ロック押し下げ片４Ｂが各ロック押し下げ部５Ｂから隔離することにより、各ロック押し下げ部は弾性変形する。したがって、各ロック部は、カード挿入排出口を開放する位置から閉鎖する位置に移動する。カードを排出する際、各ロック押し下げ片が各ロック押し下げ部を弾性変形させることにより、各ロック部はカード挿入排出口を閉鎖する位置から開放する位置に移動する。【選択図】  図２
2006019030.tif 000002
【特許請求の範囲】
【請求項１】
カードを排出するイジェクト機構と、前記カードの排出をロックするロック機構と、前記カードが挿入排出されるカード挿入排出口とを備えるカード用コネクタにおいて、
前記イジェクト機構は、前記カードにより挿入され、かつ、前記カードを排出するイジェクトスライダを有し、
前記イジェクトスライダは、操作部を有し、
前記ロック機構は、ロック部と、弾性変形可能な被操作部とを有し、
前記ロック部は、前記カード挿入排出口を開放する位置と閉鎖する位置との間で移動可能に構成され、
前記カードと接続する際、前記カードが前記イジェクトスライダを挿入するとき、前記操作部が前記被操作部から隔離することにより、前記被操作部は弾性変形して、前記ロック部は前記カード挿入排出口を開放する位置から閉鎖する位置に移動し、
前記イジェクト機構を操作して前記カードを排出する際、前記操作部が前記被操作部を操作することにより、前記被操作部は弾性変形して、前記ロック部は前記カード挿入排出口を閉鎖する位置から開放する位置に移動するように構成されることを特徴とするカード用コネクタ。
【請求項２】
前記イジェクト機構は、ハートカム部と、カムフォロアとを更に有し、前記イジェクトスライダは、前記カムフォロアを前記ハートカム部に向けて常時押圧する補助ばねを有することを特徴とする請求項１記載のカード用コネクタ。
【発明の詳細な説明】
【技術分野】
【０００１】
本発明は、カード用コネクタに関し、詳しく述べると、カードを排出するイジェクト機構及びカードの排出をロックするロック機構を有するカード用コネクタに関する。
【背景技術】
【０００２】
第１の従来の技術としてプッシュ−プッシュ式カード用コネクタについて図１０〜図１３を参照して説明する（例えば、特許文献１参照。）。
【０００３】
図１０は、コネクタの分解斜視図、図１１は、コネクタにカードを挿入する前の状態を示す斜視図、図１２（ａ）〜（ｅ）は、コネクタに対するカードの挿入と排出の過程を順次示す斜視図、図１３は、コネクタにおけるハートカムのカム溝にガイドされるカムフォロアのガイドピンの過程を示す斜視図である。
【０００４】
コネクタ４１は、インシュレータ４２と、インシュレータ４２に固定された複数のコンタクト４３と、インシュレータ４２のフレーム部４２Ａに装着されるイジェクトバー４４と、イジェクトバー４４を排出方向へ常時付勢する圧縮コイルばね４５と、イジェクトバー４４に形成されたハートカム４４Ｃにガイドされるカムフォロア４６とから構成される。カード５１は、コネクタ４１に挿入され、また、コネクタ４１から排出される。
【０００５】
個々の部品を詳細に説明すると、インシュレータ４２は、合成樹脂から略長方形状に製造され、その３辺にコ字形のフレーム部４２Ａ，４２Ｂ，４２Ｃが形成される。各コンタクト４３には、一端側に凸状湾曲接点部４３Ａが形成され、他端側に平坦接点部４３Ｂが形成されている。イジェクトバー４４は、合成樹脂から略Ｌ字形状に製造され、ガイド部４４Ａと直角折曲部４４Ｂとを有し、ガイド部４４Ａの一面にはハートカム４４Ｃが形成され、直角折曲部４４Ｂのカード当接部４４Ｄにはカード５１の先端が当接する。イジェクトバー４４のガイド部４４Ａは、フレーム部４２Ａに形成された断面Ｕ字状の溝（図示せず）内にスライド可能に収容され、ガイド部４４Ａの一面に形成された溝４４Ｅ内に圧縮コイルばね４５が挿入される。圧縮コイルばね４５の一端は、イジェクトバー４４に圧接し、他端は、フレーム部４２Ｃの内面に圧接する。したがって、イジェクトバー４４は、圧縮コイルばね４５によってカード５１をコネクタ４１から排出する方向へ常時付勢されている。カムフォロア４６は、金属製でレバー状に形成され、フレーム部４２Ａの外側に形成された切欠４２Ｄ内に所定角度回動可能に配置される。カムフォロア４６の基部に形成された穴４６Ａは、フレーム部４２Ａに形成された軸４２Ｅにはまり、また、カムフォロア４６の先端部に折曲形成されたガイドピン４６Ｂは、フレーム部４２Ａに設けられた穴（図示せず）を貫通してハートカム４４Ｃのカム溝に係合する。
【０００６】
なお、コネクタ４１の全体を長方形状のカバー（図示せず）によって覆う。
【０００７】
イジェクトバー４４のハートカム４４Ｃの詳細について図１３を参照して説明する。イジェクトバー４４のガイド部４４Ａの一面には、ハートカム４４Ｃが形成される。ハートカム４４Ｃは、カムフォロア４６のガイドピン４６Ｂの出発点の円囲１と、イジェクトバー４４のスライド方向に対して傾斜したガイド部分の円囲２と、ハート型の凹部の円囲３と、イジェクトバー４４のスライド方向に対して平行なガイド部分の円囲４と、ガイドピン４６Ｂの終着点の円囲５すなわち出発点の円囲１とから、循環状のガイドレール（カム溝）として構成される。ガイドピン４６Ｂは、フリー状態では、カムフォロア４６の弾力性によって図１３における右方へ付勢されている。
【０００８】
カード５１のコネクタ４１に対する挿入と排出（抜去）について図１２と図１３を参照して説明する。
【０００９】
まず、図１２（ａ）は、カード５１の一部がコネクタ４１内に挿入されたフリー状態であり、図１３において、カムフォロア４６のガイドピン４６Ｂは、ハートカム４４Ｃの出発点の円囲１に位置する。
【００１０】
次に、図１２（ｂ）は、カード５１をコネクタ４１内方向へプッシュし、カード５１の先端がイジェクトバー４４のカード当接部４４Ｄに当接することによって、カード５１とイジェクトバー４４とが一体となって、コネクタ４１内へ圧縮コイルばね４５の圧縮力に抵抗しながらスライドする途中の状態である。図１３において、ガイドピン４６Ｂは、ハートカム４４Ｃにおけるイジェクトバー４４のスライド方向に対して傾斜したガイド部分の円囲２に位置する。
【００１１】
続いて、カード５１を最大のストロークまでプッシュした後に、プッシュを中止すると、カード５１とイジェクトバー４４とは、圧縮コイルばね４５の復元力によってわずかに戻されて図１２（ｃ）の状態に至る。図１２（ｃ）は、カード５１の複数のパッド（図示せず）が複数のコンタクト４３の各凸状湾曲接点部４３Ａに接触した嵌合状態であり、図１３において、ガイドピン４６Ｂは、ハートカム４４Ｃのハート型の凹部の円囲３に没入して位置する。以上で、カード５１の嵌合操作は完了する。
【００１２】
再び、カード５１を最大のストロークまでプッシュした後に、プッシュを中止すると、図１３において、ガイドピン４６Ｂは、ハートカム４４Ｃのハート型の凹部の円囲３から脱出してイジェクトバー４４のスライド方向に対して平行なガイド部分の円囲４を経て終着点の円囲５すなわち出発点の円囲１に至る。カード５１とイジェクトバー４４とは、圧縮コイルばね４５の復元力によって図１２（ｄ）の状態を経て図１２（ｅ）の状態に至る。以上で、カード５１の排出操作は、完了する。
【００１３】
前記例では、ハートカム４４Ｃをイジェクトバー４４に形成し、カムフォロア４６をインシュレータ４２に設けたが、ハートカムをインシュレータに形成し、カムフォロアをイジェクトバーに設けるように設計変更することができる。
【００１４】
第２の従来の技術としてハーフロック機構及びフルロック機構を有するカード用コネクタについて図１４〜図１９を参照して説明する（例えば、特許文献２参照。）。
【００１５】
図１４及び図１５に示したカード用コネクタにおいて、ボディ６１は、ヘッド部７１とこのヘッド部７１の左右の端部のそれぞれから後方へ延び出た一対のアーム部７２，７３を有しており、これらのヘッド部７１と左右のアーム部７２，７３とによって囲まれた空間がカードセット空間７４として形成されている。ヘッド部７１には複数のコンタクト（図示せず）が左右方向に所定の間隔を隔てて並設されていると共に、そのヘッド部７１の前側に、それぞれのコンタクトに連設された端子７５…が突き出している。また、左右のアーム部７２，７３には前後方向に長いガイド溝７６，７７が備わっており、これらのガイド溝７６，７７にカードＣの左右の側端部が案内されてカードＣがカードセット空間７４に挿入されたりカードセット空間７４から引き抜かれたりする。そして、カードＣがカードセット空間７４に挿入された状態では、そのカードＣに具備された外部電極（図示せず）に上記コンタクトが弾接して電気的導通が図られる。
【００１６】
ボディ６１において、片側のアーム部７３には、そのアーム部７３を斜めに横切る溝部７８が形成されており、その溝部７８の溝壁面が後述するスライダ６４を案内するガイド面７９として形成されている。このガイド面７９は、前方Ａにいくほどカードセット空間７４の中心線Ｌ−Ｌに近づくように傾斜している。
【００１７】
ボディ６１の左右一対のアーム部７２，７３に跨がって金属製のカバー体でなる可動体６３が設けられている。この可動体６３は、上板部９１やこの上板部９１の左右両端部に設けられた側板部９２，９２などを備えており、ボディ６１に前後方向Ｘに摺動可能（前進後退可能）に保持されている。図１４、図１５及び図１７を併せ見ることによって判るように、可動体６３の上板部９１の左右両側に、上記カードセット空間９４に内向きに突き出る切起し片が形成されており、この切起し片が係合部９３，９３となされている。また、図１４、図１５及び図１８を併せ見ることによって判るように、上記上板部９１の左右方向中央部に外向きに突き出る切起し片が形成され、この切起し片が後述するロック部材連携用の連結部９４となされている。さらに、上板部９１の左右方向に長い長孔でなる係合孔部９５が形成されている。この係合孔部９５はガイド部の一例である。
【００１８】
図１４〜図１６において、スライダ６４は、上記したボディ６１の溝部７８に嵌合されてそのガイド面７９に沿って内外方向に案内されるものであり、その内端側に掛止部１０１が備わっている。また、スライダ６４には上向きに突き出た突起１０２が設けられている。この突起１０２は、被ガイド部の一例であって、スライダ４と共に合成樹脂で一体成形されたものであっても、図１６に示したような鍔１０３を有するピン１０４をスライダ６４に突設させることによって形成してもよい。
【００１９】
図１４及び図１５のように、上記溝部７８に嵌合されたスライダ６４の突起１０２が上記可動体６３の係合孔部９５に係合されている。そして、可動体６３が矢符Ａのように前進されたときには、係合孔部９５に係合している突起１０２が可動体６３によって前方Ａへ引張られるのでスライダ６４がガイド面７９に沿って図１５の矢符Ｅのように内方へ移動し、可動体６３が前進位置に達した状態では、そのスライダ６４の掛止部１０１がアーム部７３の内方へ突き出てカードセット空間７４に突出するようになっている。その一方で、可動体６３がその前進位置から後退されたときには、係合孔部９５に係合している突起１０２が可動体６３によって後方Ｂへ引張られるので、スライダ６４がガイド面７９に沿って外方へ移動して、スライダ６４の掛止部１０１がカードセット空間７４から後退する。
【００２０】
図１４及び図１５のように、カードＣの側部に凹入部Ｈが設けられている。この凹入部Ｈの形状は、図１９のようなカードＣの厚さ方向全体を凹入状に窪ませた形状であってもよい。
【００２１】
以上説明したカード用コネクタにおいて、カードセット空間７４にカードＣが挿入されていない初期状態では、図１４のように、可動体６３が後退位置に位置してスライダ６４の掛止部１０１はカードセット空間７４の外側へ後退している。
【００２２】
この初期状態からカードＣの左右の端部がガイド溝７６，７７に差し込んでカードセット空間７４側へ挿入していくと、そのガイド溝７６，７７によってカードＣが案内される。こうしてカードセット空間７４にカードＣを挿入していくと、その挿入途中でカードＣの前端Ｆが図１４のように係合部９３に係合し、可動体６３がそのカードＣにより前方Ａへ押されて前進する。こうして可動体６３が前進すると、可動体６３の係合孔部９５に係合している突起１０２と共にスライダ６４が前方へ引張られるので、ガイド面７９に沿ってスライダ６４が内方へ移動する。そして、可動体６３が前進位置に達するとき、すなわちカードＣがカードセット空間７４に達するときには、スライダ６４に設けられている掛止部１０１がカードセット空間７４に突出してそのカードＣの凹入部Ｈに嵌入する。これによって、カードＣがその位置でロックされる。このときのカードＣのロック状態は、ハーフロックである。このハーフロック状態では、カードセット空間７４に挿入されているカードＣが後退方向（後方Ｂ）に引張られた場合、そのときの引抜力が小さいときには、掛止部１０１がカードＣの凹入部Ｈに嵌入したままになってカードＣを抜け止めしているが、引抜力がある程度に大きいときには、その引抜力がカードの凹入部Ｈと掛止部１０１との係合箇所を介してスライダ６４に伝わり、そのスライダ６４がガイド面７９に沿って外方へ移動し、スライダ６４の掛止部１０１がカードＣの凹入部Ｈから抜け出てカードセット空間７４から後退し、掛止部１０１によるカードＣの抜止め状態が解除される。したがって、カードＣが引き抜かれて排出される。また、可動体６３は、スライダ６４の外方への移動に伴って後退される。
【００２３】
上記したカード用コネクタは、それ単独ではハーフロック機能を有しているに過ぎないけれども、可動体６３の上板部９１に連結部９４を外側に向けて切起し形成しているので、その連結部９４を利用することによってフルロック機能を付与することが容易に可能になる。
【００２４】
【特許文献１】特開２００１−２６７０１３号公報（第２頁第２欄第３４行〜第３頁第４欄第２６行、図１〜４）
【特許文献２】特開平１１−１４９９５６号公報（第４頁第６欄第１２行〜第５頁第８欄第４４行、図１〜６）
【発明の開示】
【発明が解決しようとする課題】
【００２５】
第１の従来の技術のカード用コネクタにおいては、カード５１を排出する際、圧縮コイルばね４５がイジェクトバー４４を押すと、カード５１がイジェクトバー４４から勢いよく飛び出す支障が生じることがある。
【００２６】
第２の従来の技術のカード用コネクタにおいては、ハーフロック状態では、カードを引抜く力が大きい場合、カードは排出される。フルロック状態では、カードを引抜く力が大きくても、カードは排出されない。しかし、コネクタをフルロック状態にセットする操作が煩雑であり、また、機構が複雑で、更に、部品点数が増加する。
【００２７】
そこで、本発明は、前記両従来の技術の欠点を改良し、振動・衝撃・落下等に基因するカードの排出を防止することができ、しかも、カードの挿入排出操作が簡便で、また、機構が簡素で、更に、部品点数が少ないカード用コネクタを提供しようとするものである。
【課題を解決するための手段】
【００２８】
本発明は、前記課題を解決するため、次の手段を採用する。
【００２９】
１．カードを排出するイジェクト機構（４，２Ｂ，６）と、前記カードの排出をロックするロック機構（５，５Ａ，５Ｂ）と、前記カードが挿入排出されるカード挿入排出口とを備えるカード用コネクタにおいて、前記イジェクト機構は、前記カードにより挿入され、かつ、前記カードを排出するイジェクトスライダを有し、前記イジェクトスライダは、操作部（４Ｂ）を有し、前記ロック機構は、ロック部と、弾性変形可能な被操作部（５Ｂ）とを有し、前記ロック部は、前記カード挿入排出口を開放する位置と閉鎖する位置との間で移動可能に構成され、前記カードと接続する際、前記カードが前記イジェクトスライダを挿入するとき、前記操作部が前記被操作部から隔離することにより、前記被操作部は弾性変形して、前記ロック部は前記カード挿入排出口を開放する位置から閉鎖する位置に移動し、前記イジェクト機構を操作して前記カードを排出する際、前記操作部が前記被操作部を操作することにより、前記被操作部は弾性変形して、前記ロック部は前記カード挿入排出口を閉鎖する位置から開放する位置に移動するように構成されるカード用コネクタ。
【００３０】
２．前記イジェクト機構は、ハートカム部と、カムフォロアとを更に有し、前記イジェクトスライダは、前記カムフォロアを前記ハートカム部に向けて常時押圧する補助ばねを有する前記１記載のカード用コネクタ。
【発明の効果】
【００３１】
明細書の説明から明らかなように、本発明は、次の効果を奏する。
【００３２】
１．カードがコネクタに挿入された状態では、ロック部はカード挿入排出口を閉鎖する位置にあるので、振動・衝撃・落下等に基因するカードの排出を防止することができる。
【００３３】
２．カードの挿入排出をイジェクト機構の操作のみによって行うことができるので、操作が簡便である。
【００３４】
３．イジェクト機構が有するイジェクトスライダの操作部と、ロック機構が有するロック部及び被操作部とによって、カード挿入排出口が開放閉鎖されるので、機構が簡素で、部品点数が少なく、組立分解が容易で、更に、コストが安価である。
【発明を実施するための最良の形態】
【００３５】
本発明の一実施例のカード用コネクタについて説明する。
【実施例１】
【００３６】
本発明の実施例１について図１〜図９を参照して説明する。なお、実施例１についての説明は、第１の従来の技術と同様な点の説明を省略し、相違する点の説明のみを行う。
【００３７】
図１はカード用コネクタ１の斜視図であり、コネクタ１のインシュレータ２上に保持される諸部材（後述する。）は、カバーフレーム１１によって被覆される。コネクタ１の正面には、カード挿入排出口１０が設けられる。
【００３８】
図１に示されるコネクタ１からカバーフレーム１１を除去すると、図２に示される斜視図の状態に至る。枠型のインシュレータ２の正面側には、多数のコンタクト３が１列に配設される。インシュレータ２内には、イジェクトスライダ４がインシュレータ２の正面部と奥部との間をスライド可能に各コンタクト３の上方に保持される。インシュレータ２の奥部には、イジェクトスライダ受け面２Ａが形成され、これにイジェクトスライダ４の先端部が当接する。また、イジェクトスライダ４の先端部から下方にカード受け面４Ａが起立するように形成される。
【００３９】
インシュレータ２の正面の左右両側には、それぞれロック部材５が設けられ、各ロック部材５にロック部５Ａと弾性変形可能なロック押し下げ部５Ｂが形成される。イジェクトスライダ４の正面の左右両側には、それぞれロック押し下げ片４Ｂが形成され、各ロック押し下げ片４Ｂはそれぞれ各ロック押し下げ部５Ｂを押し下げる。
【００４０】
インシュレータ２の右側には、ハートカム部２Ｂが形成される。イジェクトスライダ４にカムフォロア６の一端（図示せず）が固定される。カムフォロア６の他端６Ａは、イジェクトスライダ４に固定される補助板ばね７により押圧されて常にハートカム部２Ｂの溝２Ｂ１（図３参照）に係合する。
【００４１】
ハートカム部２Ｂの構造の斜視図を図３に示す。ハートカム部２Ｂには、位置Ａから出発して位置Ｂ，Ｃ，Ｄ，Ｅ，Ｆ，Ｇ，Ｈを経て位置Ａに戻るハート状の溝２Ｂ１が形成され、溝２Ｂ１内に傾斜面と段差が設けられる。
【００４２】
カード２１をコネクタ１に挿入する前の状態を図４に示す。（ａ）は正面側から見た斜視図、（ｂ）は側面側から見た斜視図、（ｃ）はコネクタ１の右側の平面図を、それぞれ示す。
【００４３】
この状態では、イジェクトスライダ４の各ロック押し下げ片４Ｂが各ロック部材５のロック押し下げ部５Ｂを下方に押して弾性変形させているので、各ロック部５Ａも下方に移動している。したがって、コネクタ１のカード挿入排出口１０は、開放している。
【００４４】
カード２１が手指によってコネクタ１に挿入される状態１の諸図を図５に示す。カード２１の先端は、イジェクトスライダ４のカード受け面４Ａに当接する。カムフォロア６の他端６Ａは、ハートカム部２Ｂの溝２Ｂ１内の位置Ａにある。カムフォロア６の他端６Ａは、どの位置に移動しても、常に溝２Ｂ１を押圧する。
【００４５】
図６は、カード２１とイジェクトスライダ４がコネクタ１の最奥部まで挿入されて、イジェクトスライダ４の先端部がインシュレータ２のイジェクトスライダ受け面２Ａに当接した状態２の諸図を示す。
【００４６】
このとき、イジェクトスライダ４の各ロック押し下げ片４Ｂが各ロック部材５のロック押し下げ部５Ｂから隔離するので、各ロック部５Ａは上方に移動してカード挿入排出口１０を閉鎖し、コネクタ１はカードロック状態となる。カムフォロア６の他端６Ａは、位置Ａから傾斜面を登り、位置Ｂに到達し、更に、位置Ｃに押圧により落ち込む。
【００４７】
図７は、カード２１がコネクタ１と嵌合した状態３の諸図を示す。
【００４８】
カード２１から手指を離すと、イジェクトスライダ４は、圧縮コイルばね（図示せず）の復元力によってカード２１の排出方向にカード２１とともに若干移動する。このとき、カムフォロア６の他端６Ａは、位置Ｃから傾斜面を登り、位置Ｄに到達し、更に、位置Ｅに落ち込む。カムフォロア６の一端はイジェクトスライダ４に固定されているため、圧縮コイルばねの復元力によって、カード２１の排出方向に若干移動したイジェクトスライダ４はカード２１とともに制止される。各ロック部５Ａは、カードロック状態のままである。この状態で、コネクタ１の各コンタクト３とカード２１の各接点（図示せず）とは、接触する。
【００４９】
図８は、イジェクトスライダ４が制止されている状態から、再度カード２１を手指によって押した状態４の諸図を示す。
【００５０】
イジェクトスライダ４の先端部がイジェクトスライダ受け面２Ａに当接すると、カムフォロア６の他端６Ａは、位置Ｅから傾斜面を登り、位置Ｆに到達し、更に、位置Ｇに落ち込む。カムフォロア６の他端６Ａは、位置Ｇ以後は溝２Ｂ１内に引っ掛る箇所がないため、傾斜面を登り、図９の状態を経て位置Ｈに到達し、更に、位置Ａに落ち込む。このとき、コネクタ１は状態１に戻る。カード２１が状態１に戻る過程で、イジェクトスライダ４の各ロック押し下げ片４Ｂは、それぞれ各ロック部材５のロック押し下げ部５Ｂを下方に弾性変形させる。したがって、各ロック部５Ａも下方に移動するため、カード２１はコネクタ１から取り出すことができる状態に至る。
【００５１】
本発明における「イジェクト機構」とは、イジェクトスライダ４とハートカム部２Ｂとカムフォロア６を指す。「ロック機構」とは、ロック部５Ａとロック押し下げ部５Ｂを有するロック部材５を指す。「操作部」とは、イジェクトスライダ４のロック押し下げ片４Ｂを指す。「被操作部」とは、ロック部材５のロック押し下げ部５Ｂを指す。
【図面の簡単な説明】
【００５２】
【図１】本発明の実施例１のカード用コネクタの斜視図である。
【図２】カバーフレームが除去された状態の同コネクタの斜視図である。
【図３】同コネクタのインシュレータに形成されたハートカム部の斜視図である。
【図４】カードを同コネクタに挿入する前の状態の諸図であり、（ａ）は正面側から見た斜視図、（ｂ）は側面側から見た斜視図、（ｃ）は同コネクタの右側の平面図を、それぞれ示す。
【図５】同カードが同コネクタに挿入される状態１の諸図であり、（ａ）は正面側から見た斜視図、（ｂ）は側面側から見た斜視図、（ｃ）は同コネクタと同カードの右側の平面図を、それぞれ示す。
【図６】同カードが同コネクタの最奥部まで挿入された状態２の諸図であり、（ａ）は正面側から見た斜視図、（ｂ）は側面側から見た斜視図、（ｃ）は同コネクタと同カードの右側の平面図を、それぞれ示す。
【図７】同カードが同コネクタに嵌合した状態３の諸図であり、（ａ）は正面側から見た斜視図、（ｂ）は側面側から見た斜視図、（ｃ）は同コネクタと同カードの右側の平面図を、それぞれ示す。
【図８】同カードを同コネクタから排出するために同カードが同コネクタの最奥部まで挿入された状態４の諸図であり、（ａ）は正面側から見た斜視図、（ｂ）は側面側から見た斜視図、（ｃ）は同コネクタと同カードの右側の平面図を、それぞれ示す。
【図９】同カードが同コネクタから排出を完了する直前の状態の諸図であり、（ａ）は正面側から見た斜視図、（ｂ）は側面側から見た斜視図、（ｃ）は同コネクタと同カードの右側の平面図を、それぞれ示す。
【図１０】第１の従来の技術のプッシュ−プッシュ式カード用コネクタの分解斜視図である。
【図１１】同コネクタにカードを挿入する前の状態を示す斜視図である。
【図１２】（ａ）〜（ｅ）は、同コネクタに対する同カードの挿入と排出の過程を順次示す斜視図である。
【図１３】同コネクタにおけるハートカムのカム溝にガイドされるカムフォロアのガイドピンの過程を示す斜視図である。
【図１４】第２の従来の技術のカード用コネクタにカードが挿入される途中の状態の平面図である。
【図１５】同コネクタにおいて同カードがハーフロックされた状態の平面図である。
【図１６】同コネクタの要部の分解斜視図である。
【図１７】図１４における線Ａ−Ａによる拡大断面図である。
【図１８】図１４における線Ｂ−Ｂによる拡大断面図である。
【図１９】同カードの凹入部の形状を示す拡大断面図である。
【符号の説明】
【００５３】
１  カード用コネクタ、コネクタ
２  インシュレータ
２Ａ  イジェクトスライダ受け面
２Ｂ  ハートカム部
２Ｂ１  溝
３  コンタクト
４  イジェクトスライダ
４Ａ  カード受け面
４Ｂ  ロック押し下げ片（操作部）
５  ロック部材
５Ａ  ロック部
５Ｂ  ロック押し下げ部（被操作部）
６  カムフォロア
６Ａ  他端
７  補助板ばね
１０  カード挿入排出口
１１  カバーフレーム
２１  カード
【図１】
2006019030.tif 000003
【図２】
2006019030.tif 000004
【図３】
2006019030.tif 000005
【図４】
2006019030.tif 000006
【図５】
2006019030.tif 000007
【図６】
2006019030.tif 000008
【図７】
2006019030.tif 000009
【図８】
2006019030.tif 000010
【図９】
2006019030.tif 000011
【図１０】
2006019030.tif 000012
【図１１】
2006019030.tif 000013
【図１２】
2006019030.tif 000014
【図１３】
2006019030.tif 000015
【図１４】
2006019030.tif 000016
【図１５】
2006019030.tif 000017
【図１６】
2006019030.tif 000018
【図１７】
2006019030.tif 000019
【図１８】
2006019030.tif 000020
【図１９】
2006019030.tif 000021